(57)【要約】【課題】画像形成装置に別の画像形成装置を内蔵することで、設置スペースの問題を解消する。【解決手段】用紙に画像を形成する第１画像形成部１０２を画像形成装置１００の装置筐体１０１内に備えた画像形成装置であって、用紙に画像を形成する第１画像形成部１０２とは異なる第２画像形成部１０８が、装置筐体１０１において該装置筐体１０１の幅内に設けられている。【選択図】図２
2016206287.tif 000002
【特許請求の範囲】
【請求項１】
用紙に画像を形成する第１画像形成部を画像形成装置の装置筐体内に備えた画像形成装置であって、
用紙に画像を形成する前記第１画像形成部とは異なる第２画像形成部が、前記装置筐体において該装置筐体の幅内に設けられていることを特徴とする画像形成装置。
【請求項２】
請求項１に記載の画像形成装置であって、
前記第２画像形成部は、用紙に転写後の画像を定着する定着部と前記装置筐体の幅方向において反対側の位置に設けられていることを特徴とする画像形成装置。
【請求項３】
請求項１または請求項２に記載の画像形成装置であって、
前記第２画像形成部は、用紙が収納された給紙部から前記用紙を前記第１画像形成部に搬送する搬送経路と前記装置筐体の幅方向において反対側の位置に設けられていることを特徴とする画像形成装置。
【請求項４】
請求項１から請求項３までのいずれか一つに記載の画像形成装置であって、
前記第２画像形成部は、前記装置筐体の幅方向において、引き出し可能な給紙カセットを有する給紙部の側面の位置に設けられていることを特徴とする画像形成装置。
【請求項５】
請求項４に記載の画像形成装置であって、
前記第２画像形成部は、前記複数の給紙カセットの横に設けられていることを特徴とする画像形成装置。
【請求項６】
請求項４に記載の画像形成装置であって、
前記第２画像形成部は、前記給紙カセットの内部の位置に設けられていることを特徴とする画像形成装置。
【請求項７】
請求項１に記載の画像形成装置であって、
前記第２画像形成装置は、給紙カセットを有する給紙部と前記第１画像形成部との間に設けられていることを特徴とする画像形成装置。
【請求項８】
請求項１から請求項３までのいずれか一つに記載の画像形成装置であって、
前記第２画像形成部は、引き出し可能な給紙カセットを有する給紙部と前記装置筐体を載置する専用台とに跨がって、前記装置筐体の幅方向の側面の位置に設けられていることを特徴とする画像形成装置。
【請求項９】
請求項１から請求項３までのいずれか一つに記載の画像形成装置であって、
前記第２画像形成部は、前記装置筐体を載置する専用台に設けられていることを特徴とする画像形成装置。
【請求項１０】
請求項１から請求項３までのいずれか一つに記載の画像形成装置であって、
前記第２画像形成部は、前記第１画像形成部と排紙トレイを有する排紙部との間に設けられていることを特徴とする画像形成装置。
【請求項１１】
請求項１から請求項３までのいずれか一つに記載の画像形成装置であって、
前記第２画像形成部は、排紙トレイを有する排紙部に設けられていることを特徴とする画像形成装置。
【請求項１２】
請求項１に記載の画像形成装置であって、
前記装置筐体には、取り付け部材を介して操作部が備えられ、
前記第２画像形成部は、前記取り付け部材または前記操作部に設けられていることを特徴とする画像形成装置。
【請求項１３】
請求項１から請求項１２までのいずれか一つに記載の画像形成装置であって、
前記第２画像形成部の排紙部は、前記第１画像形成部の排紙部と異なる位置に設けられていることを特徴とする画像形成装置。
【請求項１４】
請求項１３に記載の画像形成装置であって、
前記第２画像形成部の排紙部の排紙経路は、前記第２画像形成部からの用紙排出方向と排紙トレイ上への用紙排出方向とが異なる構成とされていることを特徴とする画像形成装置。
【発明の詳細な説明】
【技術分野】
【０００１】
本発明は、複写機、複合機、ファクシミリ装置などの画像形成装置に係り、より詳細には、内部に別のプリンタを備えた画像形成装置に関する。
【背景技術】
【０００２】
従来、画像形成装置の横に、プリンタを内蔵した別の装置が併設された画像形成システムが開示されている（特許文献１参照）。
【０００３】
特許文献１には、画像形成装置の横に設置した課金装置に昇華型プリンタを内蔵することが開示されている。
【先行技術文献】
【特許文献】
【０００４】
【特許文献１】特開２０１４−０２００９５号公報
【発明の概要】
【発明が解決しようとする課題】
【０００５】
特許文献１によれば、画像形成装置の横に別の画像形成装置である昇華型プリンタを設置した構成となっている。しかし、２台の画像形成装置を併設することは、設置スペースが十分に取れる場合には問題ないが、例えばコンビニエンスストア等の設置スペースが比較的限られる場所では、設置スペースを十分に確保することができないといった問題があった。すなわち、設置スペースに課題があった。
【０００６】
本発明はかかる課題を解決すべく創案されたもので、その目的は、画像形成装置に別の画像形成装置を内蔵することで、設置スペースの問題を解消した画像形成装置を提供することにある。
【課題を解決するための手段】
【０００７】
上記課題を解決するため、本発明の画像形成装置は、用紙に画像を形成する第１画像形成部を画像形成装置の装置筐体内に備えた画像形成装置であって、用紙に画像を形成する前記第１画像形成部とは異なる第２画像形成部が、前記装置筐体において該装置筐体の幅内に設けられていることを特徴としている。
【０００８】
また、本発明の画像形成装置によれば、前記第２画像形成部は、用紙に転写後の画像を定着する定着部と前記装置筐体の幅方向において反対側の位置に設けられた構成としてもよい。
【０００９】
また、本発明の画像形成装置によれば、前記第２画像形成部は、用紙が収納された給紙部からの用紙を前記第１画像形成部に搬送する搬送経路と前記装置筐体の幅方向において反対側の位置に設けられた構成としてもよい。
【００１０】
また、本発明の画像形成装置によれば、前記第２画像形成部は、前記装置筐体の幅方向において、引き出し可能な給紙カセットを有する給紙部の側面の位置に設けられた構成としてもよい。
【００１１】
また、本発明の画像形成装置によれば、前記第２画像形成部は、前記複数の給紙カセットの横に設けられた構成としてもよい。
【００１２】
また、本発明の画像形成装置によれば、前記第２画像形成部は、前記給紙カセットの内部の位置に設けられた構成としてもよい。
【００１３】
また、本発明の画像形成装置によれば、前記第２画像形成装置は、給紙カセットを有する給紙部と前記第１画像形成部との間に設けられた構成としてもよい。
【００１４】
また、本発明の画像形成装置によれば、前記第２画像形成部は、引き出し可能な給紙カセットを有する給紙部と前記装置筐体を載置する専用台とに跨がって、前記装置筐体の幅方向の側面の位置に設けられた構成としてもよい。
【００１５】
また、本発明の画像形成装置によれば、前記第２画像形成部は、前記装置筐体を載置する専用台に設けられた構成としてもよい。
【００１６】
また、本発明の画像形成装置によれば、前記第２画像形成部は、前記第１画像形成部と排紙トレイを有する排紙部との間に設けられた構成としてもよい。
【００１７】
また、本発明の画像形成装置によれば、前記第２画像形成部は、排紙トレイを有する排紙部に設けられた構成としてもよい。
【００１８】
また、本発明の画像形成装置によれば、前記装置筐体には、取り付け部材を介して操作部が備えられ、前記第２画像形成部は、前記取り付け部材または前記操作部に設けられた構成としてもよい。
【００１９】
また、本発明の画像形成装置によれば、前記第２画像形成部の第２排紙部は、前記第１画像形成部の排紙部と異なる位置に設けられた構成としてもよい。
【００２０】
また、画像形成装置によれば、前記第２排紙部の排紙経路は、前記第２画像形成部からの用紙排出方向と排紙トレイ上への用紙排出方向とが異なる構成としてもよい。
【発明の効果】
【００２１】
本発明によれば、画像形成装置筐体に第１画像形成部とは異なる第２画像形成部を設けることで、第２画像形成部の新たな設置スペースを必要とせず、省スペース化を図ることができる。
【図面の簡単な説明】
【００２２】
【図１】本発明にかかる画像形成装置の基本構成を示す概略縦断面図である。
【図２】第２画像形成部の配置位置の実施の形態１を示す画像形成装置の概略縦断面図である。
【図３】第２画像形成部の配置位置の実施の形態２を示す画像形成装置の概略縦断面図である。
【図４】第２画像形成部の配置位置の実施の形態３を示す画像形成装置の概略縦断面図である。
【図５】第２画像形成部の配置位置の実施の形態４を示す画像形成装置の概略縦断面図である。
【図６】第２画像形成部の配置位置の実施の形態５を示す画像形成装置の概略縦断面図である。
【図７】第２画像形成部の配置位置の実施の形態６を示す画像形成装置の概略縦断面図である。
【図８】第２画像形成部の配置位置の実施の形態７を示す画像形成装置の概略縦断面図である。
【図９】第２画像形成部の配置位置の実施の形態８を示す画像形成装置の概略縦断面図である。
【図１０】第２画像形成部の配置位置の実施の形態９を示す画像形成装置の概略縦断面図である。
【図１１】第２画像形成部の配置位置の実施の形態１０を示す画像形成装置の概略縦断面図である。
【図１２】第２画像形成部の配置位置の実施の形態１１を示す画像形成装置の概略縦断面図である。
【図１３】第２画像形成部の配置位置の実施の形態１２を示す画像形成装置の概略縦断面図である。
【図１４】排紙部の実施の形態１３を示す概略平面図である。
【図１５】排紙部の実施の形態１３を示す概略側面図である。
【図１６】排紙部の実施の形態１４を示す概略側面図である。
【図１７】実施の形態１５にかかる排紙部の構成を示す画像形成装置の概略平面図である。
【図１８】実施の形態１５にかかる排紙部の構成を示す画像形成装置の概略正面図である。
【図１９】実施の形態１５にかかる排紙部の構成を示す画像形成装置の概略斜視図である。
【図２０】実施の形態１６にかかる排紙部の構成を示す画像形成装置を左側面側から見た概略断面図である。
【図２１】実施の形態１６にかかる排紙部の構成を示す画像形成装置の概略正面図である。
【図２２】図２に示す実施の形態１を応用して蓄電池を装置筐体内に収容する例を示す画像形成装置の概略縦断面図である。
【図２３】図５に示す実施の形態４を応用して蓄電池を装置筐体内に収容する例を示す画像形成装置の概略縦断面図である。
【発明を実施するための形態】
【００２３】
以下、本発明の実施の形態について、図面を参照して詳細に説明する。
【００２４】
図１は本発明の実施の形態にかかる画像形成装置１００の基本構成を示す概略縦断面図である。
【００２５】
画像形成装置１００は、装置本体１１０及び自動原稿送り装置１２０を備え、さらに、装置本体１１０は、原稿の画像を読み取る原稿読取部９０と、原稿が載置される原稿載置台９２とを備えている。これら装置本体１１０、原稿読取部９０及び原稿載置台９２は、装置筐体１０１内に収容されている。
【００２６】
原稿読取部９０は、装置本体１１０の上部に設けられている。原稿載置台９２は、透明ガラスで形成され、原稿読取部９０の上側に設けられている。自動原稿送り装置１２０は、原稿載置台９２の上側に取り付けられており、原稿載置台９２の上に自動で原稿を搬送する。また、自動原稿送り装置１２０は、装置本体１１０と自動原稿送り装置１２０とを連結する軸回りに回動自在に構成され、原稿載置台９２の上を開放することにより原稿を手置きで置くことができるようになっている。
【００２７】
画像形成装置１００は、原稿読取装置により読み取られた原稿の画像または外部から受信した画像データに応じて、所定の用紙（原稿）に対して多色及び単色の画像を形成する。
【００２８】
装置本体１１０は、露光ユニット１、現像器２、感光体ドラム３、クリーナユニット４、帯電器５、中間転写ベルトユニット６、定着ユニット（定着部）７及び２次転写ユニット１０からなる画像形成部（後述する第１画像形成部）１０２を備える構成とされている。本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２９】
画像形成装置１００は、さらに、引き出し可能な複数段の給紙カセット８１を有する給紙部１０３、手差し給紙カセット８２、排紙トレイ９１を有する排紙部１０４、給紙部１０３から画像形成部１０２を経て排紙部１０４まで用紙を搬送する搬送経路１０５を備えている。これら給紙部１０３、排紙部１０４、搬送経路１０５も装置筐体１０１内に収容されている。
【００３０】
また、画像形成装置１００は、装置筐体１０１を載置する専用台１０６を備えており、専用台１０６には、装置筐体１０１を専用台１０６に載置した状態で移動可能とするために、専用台１０６の底部にキャスター１０７が設けられている。
【００３１】
以上が実施の形態にかかる画像形成装置１００の基本構成である。この画像形成装置１００は、胴内排紙構造の画像形成装置である。本発明では、この基本構成において、第１画像形成部１０２とは異なる第２画像形成部１０８を、装置筐体１０１の幅内に設けたものである。ここで、第２画像形成部１０８としては、インクジェットプリンタや昇華型プリンタ等の小型プリンタが好適である。この構成によれば、第２画像形成部１０８の新たな設置スペースを必要とせず、省スペース化を図ることができる。
【００３２】
以下、第２画像形成部１０８を装置筐体１０１の幅内に設ける実施の形態について具体的に説明する。
【００３３】
ここで、本明細書においては、図１に示す画像形成装置１００において、図面上、左右方向を装置筐体１０１（すなわち、画像形成装置１００）の幅方向Ｗと定義する。なお、給紙カセット８１は、幅方向Wに直交する紙面手前側に引き出し可能となっている。
【００３４】
＜実施の形態１＞
図２は、第２画像形成部１０８の配置位置の実施の形態１を示す画像形成装置１００の概略縦断面図である。
【００３５】
実施の形態１では、第２画像形成部１０８を給紙部１０３に設けている。
【００３６】
より具体的に説明すると、給紙部１０３には、各種サイズの用紙を個別に収納可能とするために、複数段（この例では４段）の給紙カセット８１，８１・・・を備えている。
【００３７】
そして、収容する用紙サイズは、下段ほど大サイズとなっており、上段に行くほど小サイズとなっている。因みに、図２では、最下段がＡ３サイズ、下から２段目がＢ４サイズ、３段目がＡ４サイズ、４段目がＢ５サイズとなっている。そして、下２段の給紙カセット８１，８１に比べ、上２段の給紙カセット８１，８１はそのサイズを小さくすることができるので、実施の形態１では、この上２段の給紙カセット８１，８１の横であって、下２段の給紙カセット８１，８１の上の空きスペースに、第２画像形成部１０８を設けた構成としている。
【００３８】
すなわち、第２画像形成部１０８は、定着部７と装置筐体１０１の幅方向Ｗにおいて反対側の位置、かつ、搬送経路１０５と装置筐体１０１の幅方向Ｗにおいて反対側の位置であって、上２段の給紙カセット８１，８１の横に設けられている。
【００３９】
なお、このように配置した第２画像形成部１０８からの用紙排出方向については、画像形成装置１００の正面側若しくは側面側（すなわち、図２において手前側若しくは左側面側）のいずれの方向であってもよい。このことは、後述する実施の形態１１，１２を除いて、以後の実施の形態においても同様である。
【００４０】
＜実施の形態２＞
図３は、第２画像形成部１０８の配置位置の実施の形態２を示す画像形成装置１００の概略縦断面図である。
【００４１】
実施の形態２では、第２画像形成部１０８を最上段（４段目）の給紙カセット８１の内部の位置に設けている。
【００４２】
すなわち、第２画像形成部１０８は、定着部７と装置筐体１０１の幅方向Ｗにおいて反対側の位置、かつ、搬送経路１０５と装置筐体１０１の幅方向Ｗにおいて反対側の位置であって、最上段の給紙カセット８１の内部に設けられている。より具体的には、Ｂ５サイズの用紙を収納する用紙収納部の横の空きスペースに設けられている。
【００４３】
＜実施の形態３＞
図４は、第２画像形成部１０８の配置位置の実施の形態３を示す画像形成装置１００の概略縦断面図である。
【００４４】
実施の形態３では、第２画像形成部１０８を給紙部１０３のところに設けている。ただし、上記実施の形態１では、第２画像形成部１０８を小サイズの給紙カセット８１，８１の横に設けているが、実施の形態３では、第２画像形成部１０８を、給紙部１０３内において、給紙カセット８１と第１画像形成部１０２との間に設けている。より具体的には、第２画像形成部１０８を最上段の給紙カセット８１のところに設けている。すなわち、最上段の給紙カセット８１に代えて薄型の第２画像形成部１０８をそのスペースに設けた構成としている。ただし、給紙部１０３と第１画像形成部１０２との間にスペースがある場合には、第２画像形成部１０８を、給紙部１０３と第１画像形成部１０２との間に設けてもよい。すなわち、第２画像形成部１０８は、最上段の給紙カセット８１と第１画像形成部１０２との間に配置すればよい。
【００４５】
＜実施の形態４＞
図５は、第２画像形成部１０８の配置位置の実施の形態４を示す画像形成装置１００の概略縦断面図である。
【００４６】
実施の形態４では、第２画像形成部１０８を、給紙部１０３と専用台１０６とに跨がって、装置筐体１０１の幅方向Ｗの側面の位置に設けている。
【００４７】
より具体的に説明すると、給紙部１０３には、各種サイズの用紙を個別に収納可能とするために、複数段（この例では４段）の給紙カセット８１，８１・・・を備えている。
【００４８】
そして、実施の形態４では、収容する用紙サイズは、下段ほど小サイズとなっており、上段に行くほど大サイズとなっている。因みに、図５では、最下段がＢ５サイズ、下から２段目がＡ４サイズ、３段目がＢ４サイズ、４段目がＡ３サイズとなっている。そして、上２段の給紙カセット８１，８１に比べ、下２段の給紙カセット８１，８１はそのサイズを小さくすることができるので、実施の形態４では、この下２段の給紙カセット８１，８１の横であって、上２段の給紙カセット８１，８１の下の空きスペースと、専用台１０６とに跨がって第２画像形成部１０８を設けた構成としている。
【００４９】
すなわち、第２画像形成部１０８は、定着部７と装置筐体１０１の幅方向Ｗにおいて反対側の位置、かつ、搬送経路１０５と装置筐体１０１の幅方向Ｗにおいて反対側の位置であって、下２段の給紙カセット８１，８１の横の空きスペースと、専用台１０６とに跨がって設けられている。
【００５０】
この構成によれば、上記実施の形態１より配置スペースを確保することができるので、より大型の第２画像形成部１０８を設けることが可能となる。
【００５１】
＜実施の形態５＞
図６は、第２画像形成部１０８の配置位置の実施の形態５を示す画像形成装置１００の概略縦断面図である。
【００５２】
実施の形態５では、第２画像形成部１０８を専用台１０６内に設けた構成としている。
【００５３】
専用台１０６は、基本的に枠体であり、内部は空洞であるので、第２画像形成部１０８を設置するための十分なスペースを確保することができる。
【００５４】
なお、実施の形態５では、第２画像形成部１０８は、定着部７と装置筐体１０１の幅方向Ｗにおいて反対側の位置、かつ、搬送経路１０５と装置筐体１０１の幅方向Ｗにおいて反対側の位置に設けているが、専用台１０６内であればどの位置に設けてもよい。
【００５５】
＜実施の形態６＞
図７は、第２画像形成部１０８の配置位置の実施の形態６を示す画像形成装置１００の概略縦断面図である。
【００５６】
実施の形態６では、第２画像形成部１０８を第１画像形成部１０２と排紙部１０４との間に設けた構成としている。
【００５７】
すなわち、第２画像形成部１０８は、定着部７と装置筐体１０１の幅方向Ｗにおいて反対側の位置、かつ、搬送経路１０５と装置筐体１０１の幅方向Ｗにおいて反対側の位置であって、第１画像形成部１０２と排紙部１０４との間に設けられている。
【００５８】
＜実施の形態７＞
図８は、第２画像形成部１０８の配置位置の実施の形態７を示す画像形成装置１００の概略縦断面図である。
【００５９】
実施の形態７では、第２画像形成部１０８を排紙部１０４に設けている。
【００６０】
排紙部１０４には排紙トレイ９１が設けられているが、この排紙トレイ９１は、排出された用紙を取り出し易いように、若干湾曲させて設けられている。従って、排紙トレイ９１の下側には空間部が存在する。
【００６１】
実施の形態７ではこの点に着目し、第２画像形成部１０８は、定着部７と装置筐体１０１の幅方向Ｗにおいて反対側の位置、かつ、搬送経路１０５と装置筐体１０１の幅方向Ｗにおいて反対側の位置であって、排紙部１０４の内部である排紙トレイ９１の下部空間に設けられている。
【００６２】
＜実施の形態８＞
図９は、第２画像形成部１０８の配置位置の実施の形態８を示す画像形成装置１００の概略縦断面図である。
【００６３】
実施の形態８では、第２画像形成部１０８を排紙部１０４に設けている。
【００６４】
排紙部１０４には排紙トレイ９１の上部に用紙を取り出すための比較的広い空間が設けられている。
【００６５】
実施の形態８ではこの点に着目し、排紙トレイ９１上部の用紙排出空間部を構成する排紙部１０４の上面に添設するようにして、第２画像形成部１０８を設けた構成としている。
【００６６】
すなわち、第２画像形成部１０８は、定着部７と装置筐体１０１の幅方向Ｗにおいて反対側の位置、かつ、搬送経路１０５と装置筐体１０１の幅方向Ｗにおいて反対側の位置であって、排紙部１０４の内部空間である用紙排出空間部の上面に設けられている。
【００６７】
この構成によれば、第２画像形成部１０８から用紙を排出する排紙部を、第１画像形成部１０２の排紙部１０４と兼用することができる。
【００６８】
＜実施の形態９＞
図１０は、第２画像形成部１０８の配置位置の実施の形態９を示す画像形成装置１００の概略縦断面図である。
【００６９】
上記実施の形態１〜８は、いずれも画像形成装置１００が胴内排紙構造の画像形成装置であったが、実施の形態９では、装置筐体１０１の側面から排紙トレイ９５が突出して設けられた構成の画像形成装置に適用したものである。
【００７０】
この構成では、排紙トレイ９５の下部側が空間部となっている。従って、実施の形態９では、排紙トレイ９５の下側の空間部において、排紙トレイ９５の幅内に収納ボックス９６を設け、この収納ボックス９６内に第２画像形成部１０８を設けた構成としている。
【００７１】
すなわち、第２画像形成部１０８は、定着部７と装置筐体１０１の幅方向Ｗにおいて反対側の位置、かつ、搬送経路１０５と装置筐体１０１の幅方向Ｗにおいて反対側の位置であって、排紙トレイ９５の下側空間に設けられた収納ボックス９６内に設けられている。
【００７２】
＜実施の形態１０＞
図１１は、第２画像形成部１０８の配置位置の実施の形態１０を示す画像形成装置１００の概略縦断面図である。
【００７３】
上記実施の形態１〜８は、いずれも画像形成装置１００が胴内排紙構造の画像形成装置であったが、実施の形態１０でも、上記実施の形態９と同様、装置筐体１０１の側面から排紙トレイ９５が突出して設けられた構成の画像形成装置に適用したものである。
【００７４】
この構成では、排紙トレイ９５の下部側が空間部となっている。従って、実施の形態１０では、装置筐体１０１の側面から排紙トレイ９５の下側の空間部において、排紙トレイ９５の幅内に載置台９７を延設し、この載置台９７上に第２画像形成部１０８を設けた構成としている。
【００７５】
すなわち、第２画像形成部１０８は、定着部７と反対側、かつ、搬送経路１０５と反対側において、装置筐体１０１の側面から排紙トレイ９５の下側の空間部に延設された載置台９７上に設けられている。
【００７６】
＜実施の形態１１＞
図１２は、第２画像形成部１０８の配置位置の実施の形態１１を示す画像形成装置１００の概略縦断面図である。
【００７７】
実施の形態１１にかかる画像形成装置では、装置筐体１０１に、取り付け部材２１を介して表示部を兼ねた操作部２２が備えられている。従って、実施の形態１０では、この取り付け部材２１に第２画像形成部１０８を設けた構成としたものである。
【００７８】
＜実施の形態１２＞
図１３は、第２画像形成部１０８の配置位置の実施の形態１２を示す画像形成装置１００の概略縦断面図である。
【００７９】
実施の形態１２にかかる画像形成装置１００では、装置筐体１０１に、取り付け部材２１を介して表示部を兼ねた操作部２２が備えられている。従って、実施の形態１２では、この操作部２２に第２画像形成部１０８を設けた構成としたものである。
【００８０】
＜実施の形態１３＞
上記各実施の形態は、第２画像形成部１０８の配置位置に関する実施の形態であったが、実施の形態１３は、これら第２画像形成部１０８から用紙を排出する排紙部の実施の形態である。すなわち、第２画像形成部１０８の排紙部は、第１画像形成部１０２の排紙部１０４とは異なる位置に設けられている。
【００８１】
図１４は、第２画像形成部１０８から用紙を排出する排紙部の実施の形態１３を示す概略平面図、図１５は、同概略側面図である。ただし、図１４及び図１５では、装置筐体１０１を透視する形で排紙部を図示している。また、排紙部については、上記実施の形態３で説明した第２画像形成部１０８からの用紙排出方向に合わせて、画像形成装置１００の正面側若しくは側面側のいずれの方向に配置してもよいが、ここでは画像形成装置１００の正面側に排紙部を配置した場合を図示している。
【００８２】
実施の形態１３では、第２画像形成部１０８の用紙排出口１０８ａのところに直接排紙トレイ３１を設けている。この排紙トレイ３１は、実施の形態１３では引き出し式としている。すなわち、第２画像形成部１０８を使用しないときには、排紙トレイ３１を第２画像形成部１０８の底面（より詳しくは、第２画像形成部１０８の底面側において装置筐体１０１内の隙間）に収納して、装置筐体１０１の幅からはみ出さないようにしている。そして、第２画像形成部１０８を使用するときには、排紙トレイ３１を引き出すことで、第２画像形成部１０８から排出される用紙をこの排紙トレイ３１で受ける構成としている。
【００８３】
＜実施の形態１４＞
実施の形態１４は、第２画像形成部１０８から用紙を排出する排紙部の他の実施の形態である。
【００８４】
図１６は、排紙部の実施の形態１４を示す概略側面図である。ただし、図１６でも、装置筐体１０１を透視する形で排紙部を図示している。
【００８５】
実施の形態１４では、用紙を排出する排紙トレイ３２を回転式としている。すなわち、第２画像形成部１０８を使用しないときには、排紙トレイ３２を第２画像形成部１０８の用紙排出口１０８ａを閉塞するように起立状態（図中、二点鎖線で示す位置）として、装置筐体１０１の幅からはみ出さないようにして保持し、第２画像形成部１０８を使用するときには、排紙トレイ３２を手前側に９０度回動させてほぼ水平の状態で保持し、第２画像形成部１０８から排出される用紙をこの排紙トレイ３２で受ける構成としている。
【００８６】
この構成によれば、第２画像形成部１０８を使用しないときには用紙排出口１０８ａを塞ぐことができるので、塵等の侵入を防止できるとともに、美観も向上する。
【００８７】
＜実施の形態１５＞
実施の形態１５は、第２画像形成部１０８から用紙を排出する排紙部のさらに他の実施の形態である。
【００８８】
実施の形態１５の排紙部３５は、第２画像形成部１０８の用紙排出口１０８ａと排紙トレイ３６との間に排紙経路３７を形成し、用紙排出口１０８ａの用紙排出方向と、排紙トレイ３６上への用紙排出方向とが異なる構成となるように排紙経路３７を形成したものである。
【００８９】
図１７乃至図１９は、実施の形態１５にかかる排紙部３５の構成を示しており、図１７は画像形成装置１００の概略平面図、図１８は画像形成装置１００の概略正面図、図１９は画像形成装置１００を左側面側からみた概略斜視図である。ここでは、一例として図７に示す実施の形態６にかかる配置位置の第２画像形成部１０８に排紙部３５を設けた構成を示している。
【００９０】
具体的に説明すると、この実施の形態では、第２画像形成部１０８は、第１画像形成部１０２と排紙部１０４との間において、さらに、装置筐体１０１の背面１０１ｂ側（奥側）に設けられている。すなわち、第２画像形成部１０８の用紙排出口１０８ａは、装置筐体１０１の背面１０１ｂ側（奥側）に設けられており、かつ、その用紙排紙方向は、装置筐体１０１の左側面１０１ｃから左側方Ｘ１に向かって排出される構成となっている。
【００９１】
また、排紙トレイ３６は、装置筐体１０１の左側面１０１ｃの下方位置において、装置筐体１０１の前面１０１ａ側に設けられており、排紙トレイ３６上への用紙排出方向は、装置筐体１０１の前面から前方に向かう方向Ｘ２に排出される構成となっている。また、用紙トレイ３６の用紙取り出し口３６ａは、装置筐体１０１の前面１０１ａとほぼ面一となっている。
【００９２】
一方、排紙経路３７は、全体が略Ｓ字状にカーブする滑り台のような形状となっており、第２画像形成部１０８の用紙排出口１０８ａに連接される排紙経路３７の連接部分３７ａから略９０度前方側へ捻るように湾曲され、かつ、用紙排出口１０８ａの排出方向（左側方）Ｘ１である水平方向から、前方斜め下方に急激に傾斜するように形成されている。そして、傾斜下端部３７ｂは、急傾斜から緩傾斜となるように前方Ｘ２側に向かって湾曲されており、装置筐体１０１の左側面１０１ｃの下方位置において、前方Ｘ２側に向かって略水平に配置された排紙トレイ３６の排紙上流側端部３６ｂと滑らかに接続された構成となっている。
【００９３】
この構成によれば、装置筐体１０１の左側面１０１ｃ側から排出された第２画像形成部１０８からの用紙を、装置筐体１０１の前面１０１ａ側で取り出すことができる。これにより、第２画像形成部１０８を装置筐体１０１の背面１０１ｂ側（奥側）に配置することができるので、第２画像形成部１０８の配置位置の自由度が増すことになる。
【００９４】
＜実施の形態１６＞
実施の形態１６は、第２画像形成部１０８から用紙を排出する排紙部のさらに他の実施の形態である。
【００９５】
実施の形態１６の排紙部４１は、第２画像形成部１０８の用紙排出口１０８ａと排紙トレイ４２との間に排紙経路４３を形成し、用紙排出口１０８ａの用紙排出方向と、排紙トレイ４２上への用紙排出方向とが異なる構成となるように排紙経路４３を形成したものである。
【００９６】
図２０及び図２１は、実施の形態１６にかかる排紙部４１の構成を示しており、図２０は画像形成装置１００を左側面側から見た概略断面図、図２１は画像形成装置１００の概略正面図である。ここでは、一例として図９に示す実施の形態８にかかる配置位置の第２画像形成部１０８に排紙部４１を設けた構成を示している。
【００９７】
具体的に説明すると、この実施の形態では、第２画像形成部１０８は、排紙トレイ９１上部の用紙排出空間部を構成する排紙部１０４の上面において、さらに、装置筐体１０１の背面１０１ｂ側（奥側）に設けられている。この場合、第２画像形成部１０８の用紙排出口１０８ａは、装置筐体１０１の背面１０１ｂ側に向けて設けられており、かつ、その用紙排紙方向は、装置筐体１０１の背面１０１ｂに向かって排出後すぐに、該背面１０１ｂ沿って下方向Ｘ３に向かって排出される構成となっている。
【００９８】
また、排紙トレイ４２は、装置筐体１０１の左側面１０１ｃの下方位置において、装置筐体１０１の前面１０１ａ側に設けられており、排紙トレイ４２上への用紙排出方向は、装置筐体１０１の前面１０１ａから前方に向かう方向Ｘ２に排出される構成となっている。また、排紙トレイ４２の用紙取り出し口４２ａは、装置筐体１０１の前面１０１ａとほぼ面一となっている。
【００９９】
一方、排紙経路４３は、全体が略Ｃ字状にカーブする形状となっており、第２画像形成部１０８の用紙排出口１０８ａに連接される排紙経路４３の連接部分４３ａから略９０度後方から下方側へ湾曲され、装置筐体１０１の底面部分で下方から装置筐体１０１の前面１０１ａ側に向かって略９０度湾曲されている。そして、湾曲先端部４３ｂは、そのまま装置筐体１０１の前面１０１ａに向かって水平に延設されており、装置筐体１０１の左側面１０１ｃの下方位置において、排紙トレイ４２の排紙上流側端部４２ｂに接続された構成となっている。
【０１００】
この構成によれば、装置筐体１０１の背面１０１ｂ側から排出された第２画像形成部１０８からの用紙を、装置筐体１０１の前面１０１ａ側で取り出すことができる。これにより、第２画像形成部１０８を装置筐体１０１の背面１０１ｂ側に配置することができるので、第２画像形成部１０８の配置位置の自由度が増すことになる。また、この構成によれば、排紙経路４３も装置筐体１０１の幅内に収めることができる。
【０１０１】
なお、上記各実施の形態は、いずれも画像形成装置の内部に別の画像形成装置を収容するものであったが、別途収容する機器は必ずしも画像形成装置である必要はない。例えば、コンビニエンスストア等では、画像形成装置の横に蓄電池を設置して、この蓄電池を画像形成装置を介して商用電源より常に充電し、例えば停電等が発生した場合に、この蓄電池を画像形成装置から外して例えば冷蔵機器等の電源として一時的に使用することが行われている。そして、この場合にも、蓄電池は画像形成装置の横に設置されているため、配置スペースの問題があった。
【０１０２】
そこで、本発明では、上記各実施の形態、特に、第２画像形成部１０８が装置筐体１０１の比較的低い位置に配置されている実施の形態１，４等の構成を利用して、蓄電池を画像形成装置１００の幅内に収容することが可能である。
【０１０３】
すなわち、  図２２に示す例では、図２に示す実施の形態１を応用して、蓄電池５０を、小カセットである上２段の給紙カセット８１，８１の横であって、大カセットである下２段の給紙カセット８１，８１の上の空きスペースに設けた構成としている。
【０１０４】
また、図２３に示す例では、図５に示す実施の形態４を応用して、蓄電池５０を、小カセットである下２段の給紙カセット８１，８１の横の空きスペースと、専用台１０６とに跨がって設けた構成としている。
【０１０５】
なお、蓄電池５０の実施の形態については、上記実施の形態１，４の配置位置構造を応用した場合について説明しているが、蓄電池５０を保持できる強固なフレーム構造を確保することができるのであれば、上記の他の実施の形態の配置位置に蓄電池５０を配置することも可能である。
【０１０６】
なお、今回開示した実施の形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【符号の説明】
【０１０７】
１  露光ユニット
２  現像器
３  感光体ドラム
４  クリーナユニット
５  帯電器
６  中間転写ベルトユニット
７  定着ユニット（定着部）
１０  ２次転写ユニット
２１  取り付け部材
２２  操作部
３１，３２  排紙トレイ
３５  排紙部
３６  排紙トレイ
３７  排紙経路
４１  排紙部
４２  排紙トレイ
４３  排紙経路
８１  給紙カセット
９０  原稿読取部
９１  排紙トレイ
９２  原稿載置台
９５  排紙トレイ
９６  収納ボックス
１００  画像形成装置
１０１  装置筐体
１０２  画像形成部（第１画像形成部）
１１０  装置本体
１２０  自動原稿送り装置
１０３  給紙部
１０４  排紙部
１０５  搬送経路
１０６  専用台
１０７  キャスター
１０８  第２画像形成部
１０８ａ  用紙排出口
【図１】
2016206287.tif 000003
【図２】
2016206287.tif 000004
【図３】
2016206287.tif 000005
【図４】
2016206287.tif 000006
【図５】
2016206287.tif 000007
【図６】
2016206287.tif 000008
【図７】
2016206287.tif 000009
【図８】
2016206287.tif 000010
【図９】
2016206287.tif 000011
【図１０】
2016206287.tif 000012
【図１１】
2016206287.tif 000013
【図１２】
2016206287.tif 000014
【図１３】
2016206287.tif 000015
【図１４】
2016206287.tif 000016
【図１５】
2016206287.tif 000017
【図１６】
2016206287.tif 000018
【図１７】
2016206287.tif 000019
【図１８】
2016206287.tif 000020
【図１９】
2016206287.tif 000021
【図２０】
2016206287.tif 000022
【図２１】
2016206287.tif 000023
【図２２】
2016206287.tif 000024
【図２３】
2016206287.tif 000025